【手続補正書】
【提出日】平成18年12月22日(2006.12.22)
【手続補正１】
【補正対象書類名】特許請求の範囲
【補正対象項目名】全文
【補正方法】変更
【補正の内容】
【特許請求の範囲】
【請求項１】
求電子連結基を含む主鎖を有する重合体を解重合する方法であって、前記重合体を、求核試薬と、金属汚染物質を実質的に含まない解重合生成物を与える触媒とに接触させることを含む方法。
【請求項２】
前記求電子連結基が、エステル連結基、炭酸エステル連結基、ウレタン連結基、置換ウレタン連結基、リン酸エステル連結基、アミド連結基、置換アミド連結基、チオエステル連結基、スルホン酸エステル連結基およびこれらの組合せからなる群から独立に選択された、請求項１に記載の方法。
【請求項３】
前記求電子連結基のうちの少なくともいくつかがエステル連結基であり、そのため前記重合体がポリエステルである、請求項２に記載の方法。
【請求項４】
前記求電子連結基がすべてエステル連結基であり、そのため前記ポリエステルが単独重合体である、請求項３に記載の方法。
【請求項５】
前記求電子連結基のうちの少なくともいくつかがエステル連結基以外の連結基であり、そのため前記ポリエステルが共重合体である、請求項３に記載の方法。
【請求項６】
前記求核試薬が、ヒドロキシル基、アミノ基およびスルフヒドリル基からなる群から選択された少なくとも１つの求核部分を含む化合物である、請求項３に記載の方法。
【請求項７】
前記化合物が１つの求核部分を含み、前記求核部分がヒドロキシル基である、請求項６に記載の方法。
【請求項８】
前記化合物が２つの求核部分を含み、前記求核部分がヒドロキシル基である、請求項６に記載の方法。
【請求項９】
前記触媒が、カルベン、カルベン前駆物質およびこれらの組合せの中から選択された、請求項１に記載の方法。
【請求項１０】
前記触媒がカルベンであり、前記カルベンが式（Ｉ）の構造を有し、
【化１】
2006512460.tif 000001
上式で、
Ｅ１およびＥ２は、Ｎ、ＮＲＥ、Ｏ、Ｐ、ＰＲＥおよびＳからなる群から独立に選択され、ＲＥは水素、ヘテロアルキルまたはヘテロアリールであり、ｘおよびｙは独立に０、１または２であり、それぞれＥ１およびＥ２の原子価状態と符合するように選択され、Ｅ１およびＥ２がＯまたはＳ以外のときには、Ｅ１およびＥ２がヘテロ原子として組み込まれた複素環を提供する連結部分を介して、Ｅ１とＥ２が連結されていてもよく、
Ｒ１およびＲ２は、分枝Ｃ３〜Ｃ３０ヒドロカルビル、置換分枝Ｃ３〜Ｃ３０ヒドロカルビル、ヘテロ原子含有分枝Ｃ４〜Ｃ３０ヒドロカルビル、置換ヘテロ原子含有分枝Ｃ４〜Ｃ３０ヒドロカルビル、環状Ｃ５〜Ｃ３０ヒドロカルビル、置換環状Ｃ５〜Ｃ３０ヒドロカルビル、ヘテロ原子含有環状Ｃ１〜Ｃ３０ヒドロカルビル、および置換ヘテロ原子含有環状Ｃ１〜Ｃ３０ヒドロカルビルからなる群から独立に選択され、
Ｌ１およびＬ２は、スペーサー原子を１〜６個含むリンカーであり、ヘテロ原子、置換ヘテロ原子、ヒドロカルビレン、置換ヒドロカルビレン、ヘテロ原子含有ヒドロカルビレン、および置換ヘテロ原子含有ヒドロカルビレンからなる群から独立に選択され、
ｍおよびｎは独立に０または１である、
請求項９に記載の方法。
【請求項１１】
Ｅ１およびＥ２がＮであり、ｘおよびｙが１であり、Ｅ１とＥ２が連結部分を介して連結されており、そのため前記カルベンがＮ−複素環状カルベンである、請求項１０に記載の方法。
【請求項１２】
前記Ｎ−複素環状カルベンが式（ＩＩ）の構造を有し、
【化２】
2006512460.tif 000002
上式で、
Ｒ１およびＲ２は、分枝Ｃ３〜Ｃ３０ヒドロカルビル、置換分枝Ｃ３〜Ｃ３０ヒドロカルビル、ヘテロ原子含有分枝Ｃ４〜Ｃ３０ヒドロカルビル、置換ヘテロ原子含有分枝Ｃ４〜Ｃ３０ヒドロカルビル、環状Ｃ５〜Ｃ３０ヒドロカルビル、置換環状Ｃ５〜Ｃ３０ヒドロカルビル、ヘテロ原子含有環状Ｃ１〜Ｃ３０ヒドロカルビル、および置換ヘテロ原子含有環状Ｃ１〜Ｃ３０ヒドロカルビルからなる群から独立に選択され、
Ｌは前記連結部分であり、ヒドロカルビレン、置換ヒドロカルビレン、ヘテロ原子含有ヒドロカルビレンおよび置換ヘテロ原子含有ヒドロカルビレン・リンカーからなる群から選択され、Ｌの中の隣接する原子上の２つ以上の置換基が連結されて追加の環状基が形成されていてもよく、
Ｌ１とＬ２のうちの一方は低級アルキレンであり、
ｍおよびｎは独立に０または１である、
請求項１１に記載の方法。
【請求項１３】
Ｒ１およびＲ２が、第二級Ｃ３〜Ｃ１２アルキル、第三級Ｃ４〜Ｃ１２アルキル、Ｃ５〜Ｃ１２アリール、置換Ｃ５〜Ｃ１２アリール、Ｃ６〜Ｃ１８アルカリール、置換Ｃ６〜Ｃ１８アルカリール、Ｃ５〜Ｃ１２脂環基、および置換Ｃ５〜Ｃ１２脂環基からなる群から独立に選択され、
Ｌが、−ＣＲ３Ｒ４−ＣＲ５Ｒ６−または−ＣＲ３＝ＣＲ５−であり、Ｒ３、Ｒ４、Ｒ５およびＲ６は、水素、ハロゲン、Ｃ１〜Ｃ１２アルキルからなる群から独立に選択され、またはＲ３、Ｒ４、Ｒ５およびＲ６のうちの任意の２つが互いに連結されて、置換または非置換の飽和または不飽和環が形成されていてもよく、
そのため前記Ｎ−複素環状カルベンが式（ＩＩＩ）の構造を有し、
【化３】
2006512460.tif 000003
上式でｑは任意選択の二重結合である、
請求項１２に記載の方法。
【請求項１４】
Ｒ１およびＲ２が、Ｃ５〜Ｃ１２アリール、一、二および三低級アルキル置換Ｃ５〜Ｃ１２アリール、Ｃ６〜Ｃ１２アルカリール、ならびに一、二および三低級アルキル置換Ｃ６〜Ｃ１２アルカリールからなる群から独立に選択され、
ｍおよびｎが０であり、
Ｒ３およびＲ４が水素である、
請求項１３に記載の方法。
【請求項１５】
Ｅ１およびＥ２が独立にＮまたはＮＲＥであり、Ｅ１とＥ２が連結されておらず、そのため前記カルベンがＮ−複素非環状カルベンである、請求項１０に記載の方法。
【請求項１６】
Ｅ１がＮＲＥであり、ＲＥが、アルコキシ、置換アルコキシ、アリールオキシ、置換アリールオキシ、アラルコキシおよび置換アラルコキシからなる群から選択され、Ｅ２がＮ、ｘが０、ｙが１であり、Ｅ１とＥ２が、置換または非置換の低級アルキレンまたは低級アルケニレン連結基を介して連結されている、請求項１５に記載の方法。
【請求項１７】
ＲＥが低級アルコキシまたは単環アリール置換低級アルコキシであり、
Ｅ１とＥ２が、−ＣＲ３Ｒ４−ＣＲ５Ｒ６−または−ＣＲ３＝ＣＲ５−部分を介して連結されており、Ｒ３、Ｒ４、Ｒ５およびＲ６が水素、ハロゲン、Ｃ１〜Ｃ１２アルキルからなる群から独立に選択され、ｎが１、Ｌ２が低級アルキレン、Ｒ２が単環アリールまたは置換単環アリールである、請求項１６に記載の方法。
【請求項１８】
前記触媒がカルベン前駆物質であり、前記カルベン前駆物質が式（ＰＩ）の構造を有し、
【化４】
2006512460.tif 000004
上式で、
Ｅ１およびＥ２はＮ、ＮＲＥ、Ｏ、Ｐ、ＰＲＥおよびＳからなる群から独立に選択され、ＲＥは水素、ヘテロアルキルまたはヘテロアリールであり、ｘおよびｙは独立に０、１または２であり、それぞれＥ１およびＥ２の原子価状態と符合するように選択され、Ｅ１およびＥ２がＯまたはＳ以外のときには、Ｅ１およびＥ２がヘテロ原子として組み込まれた複素環を提供する連結部分を介して、Ｅ１とＥ２が連結されていてもよく、
Ｒ１およびＲ２は、分枝Ｃ３〜Ｃ３０ヒドロカルビル、置換分枝Ｃ３〜Ｃ３０ヒドロカルビル、ヘテロ原子含有分枝Ｃ４〜Ｃ３０ヒドロカルビル、置換ヘテロ原子含有分枝Ｃ４〜Ｃ３０ヒドロカルビル、環状Ｃ５〜Ｃ３０ヒドロカルビル、置換環状Ｃ５〜Ｃ３０ヒドロカルビル、ヘテロ原子含有環状Ｃ１〜Ｃ３０ヒドロカルビル、および置換ヘテロ原子含有環状Ｃ１〜Ｃ３０ヒドロカルビルからなる群から独立に選択され、
Ｌ１およびＬ２は、スペーサー原子を１〜６個含むリンカーであり、ヘテロ原子、置換ヘテロ原子、ヒドロカルビレン、置換ヒドロカルビレン、ヘテロ原子含有ヒドロカルビレン、および置換ヘテロ原子含有ヒドロカルビレンからなる群から独立に選択され、
ｍおよびｎは独立に０または１であり、
Ｒ７は、少なくとも１つの電子吸引性置換基で置換されたアルキル、ヘテロアルキル、アリール、ヘテロアリール、アラルキルまたはヘテロアラルキルからなる群から選択され、
さらに、前記接触させることが塩基の存在下で実施される、
請求項９に記載の方法。
【請求項１９】
前記触媒がカルベン前駆物質であり、前記カルベン前駆物質が式（ＰＩＩ）の構造を有し、
【化５】
2006512460.tif 000005
上式で、
Ｅ１およびＥ２はＮ、ＮＲＥ、Ｏ、Ｐ、ＰＲＥおよびＳからなる群から独立に選択され、ＲＥは水素、ヘテロアルキルまたはヘテロアリールであり、ｘおよびｙは独立に０、１または２であり、それぞれＥ１およびＥ２の原子価状態と符合するように選択され、Ｅ１およびＥ２がＯまたはＳ以外のときには、Ｅ１およびＥ２がヘテロ原子として組み込まれた複素環を提供する連結部分を介して、Ｅ１とＥ２が連結されていてもよく、
Ｒ１およびＲ２は、分枝Ｃ３〜Ｃ３０ヒドロカルビル、置換分枝Ｃ３〜Ｃ３０ヒドロカルビル、ヘテロ原子含有分枝Ｃ４〜Ｃ３０ヒドロカルビル、置換ヘテロ原子含有分枝Ｃ４〜Ｃ３０ヒドロカルビル、環状Ｃ５〜Ｃ３０ヒドロカルビル、置換環状Ｃ５〜Ｃ３０ヒドロカルビル、ヘテロ原子含有環状Ｃ１〜Ｃ３０ヒドロカルビル、および置換ヘテロ原子含有環状Ｃ１〜Ｃ３０ヒドロカルビルからなる群から独立に選択され、
Ｌ１およびＬ２は、スペーサー原子を１〜６個含むリンカーであり、ヘテロ原子、置換ヘテロ原子、ヒドロカルビレン、置換ヒドロカルビレン、ヘテロ原子含有ヒドロカルビレン、および置換ヘテロ原子含有ヒドロカルビレンからなる群から独立に選択され、
ｍおよびｎは独立に０または１であり、
Ｍは金属であり、
Ｌｎは中性またはアニオン性配位子であり、
ｊはＭに結合した配位子の数であり、ｊが１よりも大きいとき、前記Ｌｎは同じでもまたは異なっていてもよい、
請求項９に記載の方法。
【請求項２０】
前記触媒がカルベン前駆物質であり、前記カルベン前駆物質が式（ＰＩＩＩ）の構造を有し、
【化６】
2006512460.tif 000006
上式で、
Ｅ１、Ｅ２、Ｅ３およびＥ４はＮ、ＮＲＥ、Ｏ、Ｐ、ＰＲＥおよびＳからなる群から独立に選択され、ＲＥは水素、ヘテロアルキルまたはヘテロアリールであり、ｘ、ｙ、ｖおよびｗは独立に０、１または２であり、それぞれＥ１、Ｅ２、Ｅ３およびＥ４の原子価状態と符合するように選択され、Ｅ１およびＥ３がＯまたはＳ以外のときには、連結部分を介してＥ１とＥ３が連結されて複素環が形成されていてもよく、Ｅ２およびＥ４がＯまたはＳ以外のときには、連結部分を介してＥ２とＥ４が連結されて複素環が形成されていてもよく、
Ｒ１、Ｒ２、Ｒ８およびＲ９は、分枝Ｃ３〜Ｃ３０ヒドロカルビル、置換分枝Ｃ３〜Ｃ３０ヒドロカルビル、ヘテロ原子含有分枝Ｃ４〜Ｃ３０ヒドロカルビル、置換ヘテロ原子含有分枝Ｃ４〜Ｃ３０ヒドロカルビル、環状Ｃ５〜Ｃ３０ヒドロカルビル、置換環状Ｃ５〜Ｃ３０ヒドロカルビル、ヘテロ原子含有環状Ｃ１〜Ｃ３０ヒドロカルビル、および置換ヘテロ原子含有環状Ｃ１〜Ｃ３０ヒドロカルビルからなる群から独立に選択され、
Ｌ１、Ｌ２、Ｌ３およびＬ４は、スペーサー原子を１〜６個含むリンカーであり、ヘテロ原子、置換ヘテロ原子、ヒドロカルビレン、置換ヒドロカルビレン、ヘテロ原子含有ヒドロカルビレン、および置換ヘテロ原子含有ヒドロカルビレンからなる群から独立に選択され、
ｈ、ｋ、ｍおよびｎは独立に０または１である、
請求項９に記載の方法。
【請求項２１】
求電子連結基を含む主鎖を有する重合体を解重合する方法であって、前記重合体を求核試薬および触媒に、８０℃以下の温度で接触させることを含む方法。
【請求項２２】
前記温度が６０℃以下のである、請求項２１に記載の方法。
【請求項２３】
前記温度が３０℃以下である、請求項２２に記載の方法。
【請求項２４】
前記求電子連結基が、エステル連結基、炭酸エステル連結基、ウレタン連結基、置換ウレタン連結基、リン酸エステル連結基、アミド連結基、置換アミド連結基、チオエステル連結基、スルホン酸エステル連結基およびこれらの組合せからなる群から独立に選択された、請求項２１に記載の方法。
【請求項２５】
前記求核試薬が、ヒドロキシル基、アミノ基およびスルフヒドリル基からなる群から選択された少なくとも１つの求核部分を含む化合物である、請求項２１に記載の方法。
【請求項２６】
前記触媒が、カルベン、カルベン前駆物質およびこれらの組合せの中から選択された、請求項２１に記載の方法。
【請求項２７】
式（Ｉ）の構造を有するヘテロ原子安定化カルベンであって、
【化７】
2006512460.tif 000007
上式で、
Ｅ１およびＥ２はＮ、ＮＲＥ、ＰおよびＰＲＥからなる群から独立に選択され、ＲＥは水素、ヘテロアルキルまたはヘテロアリールであり、ｘおよびｙは独立に０、１または２であり、それぞれＥ１およびＥ２の原子価状態と符合するように選択され、Ｅ１およびＥ２がヘテロ原子として組み込まれた複素環を提供する連結部分を介して、Ｅ１とＥ２が連結されており、
Ｒ１およびＲ２は、分枝Ｃ３〜Ｃ３０ヒドロカルビル、置換分枝Ｃ３〜Ｃ３０ヒドロカルビル、ヘテロ原子含有分枝Ｃ４〜Ｃ３０ヒドロカルビル、置換ヘテロ原子含有分枝Ｃ４〜Ｃ３０ヒドロカルビル、環状Ｃ５〜Ｃ３０ヒドロカルビル、置換環状Ｃ５〜Ｃ３０ヒドロカルビル、ヘテロ原子含有環状Ｃ１〜Ｃ３０ヒドロカルビル、および置換ヘテロ原子含有環状Ｃ１〜Ｃ３０ヒドロカルビルからなる群から独立に選択され、
Ｌ１およびＬ２は、スペーサー原子を１〜６個含むリンカーであり、ヘテロ原子、置換ヘテロ原子、ヒドロカルビレン、置換ヒドロカルビレン、ヘテロ原子含有ヒドロカルビレン、および置換ヘテロ原子含有ヒドロカルビレンからなる群から独立に選択され、
ｍおよびｎは独立に０または１であり、
ただしＥ１、Ｅ２またはＥ１とＥ２の両方にヘテロ原子が直接に結合されている
カルベン。
【請求項２８】
Ｅ１がＮＲＥであり、ＲＥが、アルコキシ、置換アルコキシ、アリールオキシ、置換アリールオキシ、アラルコキシおよび置換アラルコキシからなる群から選択される、請求項２７に記載のカルベン。
【請求項２９】
ＲＥが低級アルコキシまたは単環アリール置換低級アルコキシであり、Ｅ２がＮ、ｘが０、ｙが１であり、Ｅ１とＥ２が、置換または非置換の低級アルキレンまたは低級アルケニレン連結基を介して連結され、Ｅ１とＥ２が、−ＣＲ３Ｒ４−ＣＲ５Ｒ６−または−ＣＲ３＝ＣＲ５−部分を介して連結されており、Ｒ３、Ｒ４、Ｒ５およびＲ６が水素、ハロゲン、Ｃ１〜Ｃ１２アルキルからなる群から独立に選択されており、ｎが１、Ｌ２が低級アルキレン、Ｒ２が単環アリールまたは置換単環アリールであり、請求項２８に記載のカルベン。
【請求項３０】
Ｅ１とＥ２が−ＣＲ３＝ＣＲ５−部分を介して連結され、Ｒ３およびＲ５が水素であり、Ｒ３およびＲ５がＣ１〜Ｃ１２アルキルである、請求項２９に記載のカルベン。
【請求項３１】
Ｅ２がＮ、ｘが０、ｙが１であり、Ｅ１とＥ２が、置換または非置換の低級アルキレンまたは低級アルケニレン連結基を介して連結されており、Ｅ１とＥ２が、−ＣＲ３Ｒ４−ＣＲ５Ｒ６−または−ＣＲ３＝ＣＲ５−部分を介して連結されており、Ｒ３、Ｒ４、Ｒ５およびＲ６が水素、ハロゲン、Ｃ１〜Ｃ１２アルキルからなる群から独立に選択されており、ｎが１、Ｌ２が低級アルキレン、Ｒ２が単環アリールまたは置換単環アリールである、請求項２９に記載のカルベン。
【請求項３２】
ｘおよびｙが１、Ｅ１およびＥ２がＮであり、Ｅ１とＥ２が部分Ｌを介して連結されており、そのため前記カルベンが式（ＩＩ）の構造を有し、
【化８】
2006512460.tif 000008
上式で、
Ｌは前記連結部分であり、ヒドロカルビレン、置換ヒドロカルビレン、ヘテロ原子含有ヒドロカルビレンおよび置換ヘテロ原子含有ヒドロカルビレン・リンカーからなる群から選択され、Ｌの中の隣接する原子上の２つ以上の置換基が連結されて追加の環状基が形成されていてもよく、
Ｌ１とＬ２のうちの一方は低級アルキレンであり、
ｍおよびｎは独立に０または１である、
請求項２７に記載のカルベン。
【請求項３３】
Ｌが、−ＣＲ３Ｒ４−ＣＲ５Ｒ６−または−ＣＲ３＝ＣＲ５−であり、Ｒ３、Ｒ４、Ｒ５およびＲ６は、水素、ハロゲン、Ｃ１〜Ｃ１２アルキルからなる群から独立に選択され、またはＲ３、Ｒ４、Ｒ５およびＲ６のうちの任意の２つが互いに連結されて、置換または非置換の飽和または不飽和環が形成されていてもよく、そのため前記Ｎ−複素環状カルベンが式（ＩＩＩ）の構造を有し、
【化９】
2006512460.tif 000009
上式で、ｑは任意選択の二重結合であり、ｓは０または１、ｔは０または１であり、ただしｑが存在するときｓおよびｔは０、ｑが不在のときｓおよびｔは１である、
請求項２７に記載のカルベン。
【請求項３４】
Ｒ１およびＲ２が、第二級Ｃ３〜Ｃ１２アルキル、第三級Ｃ４〜Ｃ１２アルキル、Ｃ５〜Ｃ１２アリール、置換Ｃ５〜Ｃ１２アリール、Ｃ６〜Ｃ１８アルカリール、置換Ｃ６〜Ｃ１８アルカリール、Ｃ５〜Ｃ１２脂環基、および置換Ｃ５〜Ｃ１２脂環基からなる群から独立に選択される、請求項３３に記載のカルベン。
【請求項３５】
式（ＰＩ）の構造を有するカルベン前駆物質であって、
【化１０】
2006512460.tif 000010
上式で、
Ｅ１およびＥ２はＮ、ＮＲＥ、ＰおよびＰＲＥからなる群から独立に選択され、ＲＥは水素、ヘテロアルキルまたはヘテロアリールであり、ｘおよびｙは独立に０、１または２であり、それぞれＥ１およびＥ２の原子価状態と符合するように選択され、Ｅ１およびＥ２がヘテロ原子として組み込まれた複素環を提供する連結部分を介して、Ｅ１とＥ２が連結されており、
Ｒ１およびＲ２は、分枝Ｃ３〜Ｃ３０ヒドロカルビル、置換分枝Ｃ３〜Ｃ３０ヒドロカルビル、ヘテロ原子含有分枝Ｃ４〜Ｃ３０ヒドロカルビル、置換ヘテロ原子含有分枝Ｃ４〜Ｃ３０ヒドロカルビル、環状Ｃ５〜Ｃ３０ヒドロカルビル、置換環状Ｃ５〜Ｃ３０ヒドロカルビル、ヘテロ原子含有環状Ｃ１〜Ｃ３０ヒドロカルビル、および置換ヘテロ原子含有環状Ｃ１〜Ｃ３０ヒドロカルビルからなる群から独立に選択され、
Ｌ１およびＬ２は、スペーサー原子を１〜６個含むリンカーであり、ヘテロ原子、置換ヘテロ原子、ヒドロカルビレン、置換ヒドロカルビレン、ヘテロ原子含有ヒドロカルビレン、および置換ヘテロ原子含有ヒドロカルビレンからなる群から独立に選択され、
ｍおよびｎは独立に０または１であり、
ただしＥ１、Ｅ２またはＥ１とＥ２の両方にヘテロ原子が直接に結合されている
カルベン前駆物質。
【請求項３６】
式（ＰＩＩ）の構造を有するカルベン前駆物質であって、
【化１１】
2006512460.tif 000011
上式で、
Ｅ１およびＥ２はＮ、ＮＲＥ、ＰおよびＰＲＥからなる群から独立に選択され、ＲＥは水素、ヘテロアルキルまたはヘテロアリールであり、ｘおよびｙは独立に０、１または２であり、それぞれＥ１およびＥ２の原子価状態と符合するように選択され、Ｅ１およびＥ２がヘテロ原子として組み込まれた複素環を提供する連結部分を介して、Ｅ１とＥ２が連結されており、
Ｒ１およびＲ２は、分枝Ｃ３〜Ｃ３０ヒドロカルビル、置換分枝Ｃ３〜Ｃ３０ヒドロカルビル、ヘテロ原子含有分枝Ｃ４〜Ｃ３０ヒドロカルビル、置換ヘテロ原子含有分枝Ｃ４〜Ｃ３０ヒドロカルビル、環状Ｃ５〜Ｃ３０ヒドロカルビル、置換環状Ｃ５〜Ｃ３０ヒドロカルビル、ヘテロ原子含有環状Ｃ１〜Ｃ３０ヒドロカルビル、および置換ヘテロ原子含有環状Ｃ１〜Ｃ３０ヒドロカルビルからなる群から独立に選択され、
Ｌ１およびＬ２は、スペーサー原子を１〜６個含むリンカーであり、ヘテロ原子、置換ヘテロ原子、ヒドロカルビレン、置換ヒドロカルビレン、ヘテロ原子含有ヒドロカルビレン、および置換ヘテロ原子含有ヒドロカルビレンからなる群から独立に選択され、
ｍおよびｎは独立に０または１であり、
Ｍは金属であり、
Ｌｎは中性またはアニオン性配位子であり、
ｊはＭに結合した配位子の数であり、ｊが１よりも大きいとき、前記Ｌｎは同じでもまたは異なっていてもよく、
ただしＥ１、Ｅ２またはＥ１とＥ２の両方にヘテロ原子が直接に結合されている
カルベン前駆物質。